(57)【要約】【課題】画像を平面表示している状態で、別の画像を立体表示する時のユーザの操作ミスを抑制すること。【解決手段】本発明の携帯端末装置は、画像を立体表示する機能を備える表示デバイスと、静電容量方式で指を非接触で検知する機能を備えるタッチパネルと、前記表示デバイスが画像を立体表示する場合、前記表示デバイスの表示面に垂直な第１の座標軸方向において、立体表示される画像の視覚的な表示位置と、前記タッチパネルが指を検知する検知位置と、を略一致させる制御部と、を有し、前記制御部は、前記表示デバイスが画像を立体表示する場合、前記第１の座標軸方向において、前記表示デバイスの表示面から前記検知位置に向かう方向をプラス方向としたとき、前記検知位置へマイナス方向から向かう操作を無視し、前記検知位置へプラス方向から向かう操作を受け付ける。【選択図】図１
2014044567.tif 000002
【特許請求の範囲】
【請求項１】
画像を立体表示する機能を備える表示デバイスと、
静電容量方式で指を非接触で検知する機能を備えるタッチパネルと、
前記表示デバイスが画像を立体表示する場合、前記表示デバイスの表示面に垂直な第１の座標軸方向において、立体表示される画像の視覚的な表示位置と、前記タッチパネルが指を検知する検知位置と、を略一致させる制御部と、を有し、
前記制御部は、前記表示デバイスが画像を立体表示する場合、前記第１の座標軸方向において、前記表示デバイスの表示面から前記検知位置に向かう方向をプラス方向としたとき、前記検知位置へマイナス方向から向かう操作を無視し、前記検知位置へプラス方向から向かう操作を受け付ける、携帯端末装置。
【請求項２】
前記表示デバイスは、所定の契機に、前記表示デバイスに表示する画像の一部の画像のみを立体表示する、請求項１に記載の携帯端末装置。
【請求項３】
立体表示する一部の画像は、次の操作に必要な項目の画像である、請求項２に記載の携帯端末装置。
【請求項４】
前記表示デバイスは、第１の画像を立体表示している状態で、次に第２の画像を立体表示する場合、前記第１の座標軸方向に垂直な座標平面上において、前記第１の画像とは異なる位置に前記第２の画像を立体表示する、請求項１から３のいずれか１項に記載の携帯端末装置。
【請求項５】
画像を立体表示する機能を備える表示デバイスと、静電容量方式で指を非接触で検知する機能を備えるタッチパネルと、を有する携帯端末装置の制御方法であって、
前記表示デバイスが画像を立体表示する場合、前記表示デバイスの表示面に垂直な第１の座標軸方向において、立体表示される画像の視覚的な表示位置と、前記タッチパネルが指を検知する検知位置と、を略一致させ、
前記表示デバイスが画像を立体表示する場合、前記第１の座標軸方向において、前記表示デバイスの表示面から前記検知位置に向かう方向をプラス方向としたとき、前記検知位置へマイナス方向から向かう操作を無視し、前記検知位置へプラス方向から向かう操作を受け付ける、制御方法。
【発明の詳細な説明】
【技術分野】
【０００１】
本発明は、携帯電話機、スマートフォン（多機能携帯電話機）等の携帯端末装置に関し、特に、画像を立体表示（３Ｄ表示）する立体表示機能を備えた表示デバイスを有する携帯端末装置に関する。
【背景技術】
【０００２】
図８は、立体表示機能を備えた表示デバイスを有する携帯端末装置の断面図である。なお、以下で説明する図面において、同一の部分には同一の符号を付すものとする。
【０００３】
図８に示す携帯端末装置は、表示デバイス１と、タッチパネル２０と、保護スクリーン３と、を有している。
【０００４】
表示デバイス１は、各種画像を表示するＬＣＤ（Liquid Crystal Display）等であり、立体表示機能を備えている。
【０００５】
タッチパネル２０は、表示デバイス１の上層に設けられ、表示デバイス１にて表示された表示内容に対する、ユーザの指によるタッチ操作を検知する。
【０００６】
保護スクリーン３は、タッチパネル２０の上層に設けられ、表示デバイス１およびタッチパネル２を保護する。
【０００７】
しかし、図８に示した携帯端末装置においては、ユーザが保護スクリーン３に触れてタッチパネル２０を操作する必要があるため、保護スクリーン３の表面が汚れてしまうという第１の問題があった。
【０００８】
また、表示デバイス１が画像を立体表示する場合、立体表示される立体画像４は飛び出して見えるため、立体画像４の視覚的な表示位置は、保護スクリーン３から、表示デバイス１の表示面に垂直な方向（以下、Ｚ’軸方向と称す）に離れて位置することになる。そうすると、立体画像４の視覚的な表示位置と、実際にユーザの指のタッチを検知する検知位置５０とが、Ｚ’軸方向において異なることになるため、ユーザの操作ミスが発生する可能性があるという第２の問題があった。例えば、図９の例では、ユーザは、立体画像４の視覚的な表示位置にて「ｉｉｉ」をタッチしたつもりが、実際には、検知位置５０にて「ｈｈｈ」をタッチしており、操作ミスが発生している。
【０００９】
上記の２つの問題点を解決する技術として、例えば、特許文献１には、表示パネルに静電容量方式の近接センサ部を設け、このセンサの反応位置を、外面から離れたところの立体画像の結像位置（３Ｄ表示高さＨｆ）に合わせる技術が記載されている。
【００１０】
そこで、図８に示す携帯端末装置において、タッチパネル２０を静電容量方式とし、検知感度の閾値を高くする等して、保護スクリーン３からＺ’軸方向に離れた検知位置にて、ユーザの指を非接触で検知する構成とすれば、ユーザは保護スクリーン３に触れずにタッチパネル２０を操作可能になるため、上記の第１の問題を解決できる。
【００１１】
また、このとき、Ｚ’軸方向において、ユーザの指を非接触で検知する検知位置を、立体画像４の視覚的な表示位置と略一致させる構成とすれば、ユーザの操作ミスを抑制でき、上記の第２の問題を解決できる。
【先行技術文献】
【特許文献】
【００１２】
【特許文献１】特開２０１１−０１３７７８号公報
【発明の概要】
【発明が解決しようとする課題】
【００１３】
しかし、特許文献１に記載の技術には、画像を平面表示（２Ｄ表示）している状態で、別の画像を立体表示する時に、ユーザの操作ミスが発生する可能性があるという課題がある。
【００１４】
例えば、表示デバイスに平面表示されている画像に対して、ユーザがタッチ操作をしている状態で、別の画像（例えば、ＹＥＳ／ＮＯの選択確認を求める画像等）を立体表示する場合、ユーザは、視線が指で遮られない限りは、別の画像が飛び出して見えるため、別の画像を立体表示すると同時に、タッチ操作している指を離してしまうことがある。
【００１５】
この操作は、ユーザの突発的な操作であり、ユーザが意図した操作ではないが、このときにユーザの指が、保護スクリーンから離れた検知位置まで達してしまうと、携帯端末装置側では、この操作を確定してしまい、その結果、操作ミスが発生してしまう。
【００１６】
そこで、本発明の目的は、上述した課題を解決し、立体表示機能を備える携帯端末装置において、画像を平面表示している状態で、別の画像を立体表示する時のユーザの操作ミスを抑制することができる技術を提供することにある。
【課題を解決するための手段】
【００１７】
本発明の携帯端末装置は、
画像を立体表示する機能を備える表示デバイスと、
静電容量方式で指を非接触で検知する機能を備えるタッチパネルと、
前記表示デバイスが画像を立体表示する場合、前記表示デバイスの表示面に垂直な第１の座標軸方向において、立体表示される画像の視覚的な表示位置と、前記タッチパネルが指を検知する検知位置と、を略一致させる制御部と、を有し、
前記制御部は、前記表示デバイスが画像を立体表示する場合、前記第１の座標軸方向において、前記表示デバイスの表示面から前記検知位置に向かう方向をプラス方向としたとき、前記検知位置へマイナス方向から向かう操作を無視し、前記検知位置へプラス方向から向かう操作を受け付ける。
【００１８】
本発明の携帯端末装置の制御方法は、
画像を立体表示する機能を備える表示デバイスと、静電容量方式で指を非接触で検知する機能を備えるタッチパネルと、を有する携帯端末装置の制御方法であって、
前記表示デバイスが画像を立体表示する場合、前記表示デバイスの表示面に垂直な第１の座標軸方向において、立体表示される画像の視覚的な表示位置と、前記タッチパネルが指を検知する検知位置と、を略一致させ、
前記表示デバイスが画像を立体表示する場合、前記第１の座標軸方向において、前記表示デバイスの表示面から前記検知位置に向かう方向をプラス方向としたとき、前記検知位置へマイナス方向から向かう操作を無視し、前記検知位置へプラス方向から向かう操作を受け付ける。
【発明の効果】
【００１９】
本発明によれば、画像を平面表示している状態で、別の画像を立体表示する時のユーザの操作ミスを抑制することができるという効果が得られる。
【図面の簡単な説明】
【００２０】
【図１】本実施形態の携帯端末装置の機能ブロック図である。
【図２】本実施形態の携帯端末装置の断面図である。
【図３】本実施形態の携帯端末装置の動作を説明する図である。
【図４】本実施形態の携帯端末装置の動作を説明する図である。
【図５】本実施形態の携帯端末装置の動作を説明する図である。
【図６】本実施形態の携帯端末装置の動作を説明する図である。
【図７】本実施形態の携帯端末装置の動作を説明する図である。
【図８】関連する携帯端末装置の断面図である。
【図９】関連する携帯端末装置の動作を説明する図である。
【発明を実施するための形態】
【００２１】
以下に、本発明を実施するための形態について図面を参照して説明する。
（１）本実施形態の構成
図１は、本実施形態の携帯端末装置の機能ブロック図である。
【００２２】
図１に示すように、本実施形態の携帯端末装置は、表示デバイス１と、タッチパネル２と、制御部６と、を有している。
【００２３】
表示デバイス１は、各種画像を表示するＬＣＤ等であり、立体表示機能を備えている。
【００２４】
タッチパネル２は、静電容量方式でユーザの指を非接触で検知する機能を備えている。
【００２５】
制御部６は、表示デバイス１およびタッチパネル２を制御して各種の処理を行う。なお、制御部６の具体的な処理内容については後述する。
【００２６】
図２は、本実施形態の携帯端末装置の断面図である。
【００２７】
図２に示すように、本実施形態の携帯端末装置は、表示デバイス１の上層にタッチパネル２が設けられ、タッチパネル２の上層に表示デバイス１およびタッチパネル２を保護する保護スクリーン３が設けられた構成である。
【００２８】
なお、図１および図２は、本発明に関連する構成要素のみを図示しており、その他の構成要素（例えば、他の携帯端末装置との通信用のアンテナや通信部等）は省略している。
（２）本実施形態の動作
以下、本実施形態の携帯端末装置の動作について説明する。
（２−１）第１の動作
制御部６は、各種動作用のタッチパネル２の検知感度の閾値を保持している。
【００２９】
例えば、立体表示動作用の検知感度の閾値は、図２に示すように、Ｚ’軸方向（第１の座標軸方向）において、立体表示される立体画像４の視覚的な表示位置と、タッチパネル２が指を検知する検知位置５と、が略一致するような値となっている。
【００３０】
そのため、制御部６は、表示デバイス１が画像を立体表示する場合は、タッチパネル２に対し、立体表示動作用の検知感度の閾値（平面表示動作用よりも高い）を設定する。
【００３１】
それにより、タッチパネル２は、保護スクリーン３から離れた検知位置５にてユーザの指を非接触で検知できるようになるため、保護スクリーン３の表面が汚れてしまうことが回避される。
【００３２】
また、このとき、立体画像４の視覚的な表示位置と、タッチパネル２が指を検知する検知位置５と、を略一致させているため、ユーザの操作ミスを抑制できる。例えば、図３の例では、ユーザは立体画像４の視覚的な表示位置かつ検知位置５にて「ｉｉｉ」をタッチしており、ユーザの操作ミスは抑制される。
【００３３】
しかし、例えば、図２において、表示デバイス１に平面表示されている画像に対して、ユーザがタッチ操作をしている状態で、別の画像を立体表示する場合、ユーザは、視線が指で隠れない限りは、別の画像が飛び出して見えるため、別の画像を立体表示すると同時に、タッチ操作している指を離してしまうことがある。
【００３４】
この操作は、ユーザの突発的な操作であり、ユーザが意図した操作ではないが、このときにユーザの指が検知位置５まで達し、携帯端末装置側で、この操作を確定してしまうと、操作ミスが発生してしまう。
【００３５】
そこで、本実施形態においては、制御部６は、図４に示すように、Ｚ’軸方向（表示デバイス１の表示面から検知位置５に向かう方向をプラス方向とする）において、検知位置５へマイナス方向から向かう操作（すなわち、立体画像４よりも下側に指があった場合の立体画像４への操作）を無視し、検知位置５へプラス方向から向かう操作（すなわち、立体画像４よりも上側に指があった場合の立体画像４への操作）を受け付ける。
【００３６】
これにより、ユーザが平面表示されている画像をタッチ操作している指を、別の画像を立体表示すると同時に離し、ユーザの指が検知位置５まで達したとしても、この操作は、検知位置５へマイナス方向から向かう操作となり、制御部６が無視するため、操作が確定されることはない。
【００３７】
よって、画像を平面表示している状態で、別の画像を立体表示する時のユーザの操作ミスを抑制することができるという効果が得られる。
【００３８】
なお、検知位置５へ向かう操作の方向性を判定する方法としては、静電容量の変化（大から小へ、または、小から大へ）を用いる方法等が考えられるが、特に制限はない。
（２−２）第２の動作
携帯端末装置は、移動するという性格上、装置サイズを大型化できないという制約がある。よって、表示デバイス１の画面サイズも同様に制約がある。
【００３９】
しかし、スマートフォン（多機能携帯電話機）等は、画面内にも多くの情報が表示される仕様となっている。つまり、表示デバイス１の小さな画面には、多くの情報が含まれるため、タッチパネル２の操作が困難となってきている。
【００４０】
ここで、図５に示すように、例えば、
『装置機能設定等の画面にて、△項を選択すると、その下層域にａａａ、ｂｂｂ、ｃｃｃ、ｄｄｄ、ｅｅｅが表示される。』
という画面変移を考える。
【００４１】
この場合、制御部６は、△項が選択されたことを契機に、表示デバイス１に対し、△項とその下層域のａａａ、ｂｂｂ、ｃｃｃ、ｄｄｄ、ｅｅｅの画像のみを立体表示させる（立体画像７）。
【００４２】
このとき、制御部６は、タッチパネル２に対し、立体表示動作用の検知感度の閾値（平面表示動作用よりも高い）を設定し、Ｚ’軸方向において、立体画像７の視覚的な表示位置と、タッチパネル２が指を検知する検知位置５と、を略一致させる。
【００４３】
これにより、タッチパネル２は、保護スクリーン３から離れた検知位置５にてユーザの指を非接触で検知できるようになる。そこで、ユーザは、例えば、検知位置５Ａにてｅｅｅを選択する。
【００４４】
このように、本実施形態においては、表示デバイス１に表示されている画像の一部である、△項とその下層域の画像のみを立体表示し、他の項目・他の下層域を立体表示しないため、ユーザの操作ミスを抑制することができるという効果が得られる。
【００４５】
なお、△項の表示位置と△項の下層域の画像の表示位置との位置関係に特に制限はないが、両者の階層関係を明確にするため、図５に示したように、△項の画像の手前側（Ｙ軸マイナス方向側）に、△項の下層域の画像を表示するのが好ましい。
（２−３）第３の動作
上述したように、スマートフォン（多機能携帯電話機）等は、表示デバイス１の小さな画面に、多くの情報が含まれるため、次の操作が不明となったり、選択確認の画像を見落としたりすることがある。
【００４６】
ここで、図６および図７に示すように、例えば、
『装置機能設定等の画面にて、Ａ／Ｂ／ＣからＡを選択し、その選択確認であるＯＫ／キャンセルが表示される』
という画面変移を考える。
【００４７】
この場合、図６に示すように、制御部６は、まず、表示デバイス１に対し、Ａ／Ｂ／Ｃの選択画面の画像を立体表示させる（立体画像８）。
【００４８】
このとき、制御部６は、タッチパネル２に対し、立体表示動作用の検知感度の閾値（平面表示動作用よりも高い）を設定し、Ｚ’軸方向において、立体画像８の視覚的な表示位置と、タッチパネル２が指を検知する検知位置５と、を略一致させる。
【００４９】
これにより、タッチパネル２は、保護スクリーン３から離れた検知位置５にてユーザの指を非接触で検知できるようになる。そこで、ユーザは、例えば、検知位置５ＢにてＡを選択する。
【００５０】
すると、図７に示すように、制御部６は、表示デバイス１に対し、ＯＫ／キャンセルの選択確認の画像を立体表示させる（立体画像９）。この時点では、先の動作により、Ｚ’軸方向において、立体画像９の視覚的な表示位置と、タッチパネル２が指を検知する検知位置５と、が略一致しており、タッチパネル２は、保護スクリーン３から離れた検知位置５にてユーザの指を非接触で検知できるようになっている。そこで、ユーザは、例えば、検知位置５ＣにてＯＫを選択する。
【００５１】
このように、本実施形態においては、次の操作に必要な項目の画像のみが立体表示されるため、次の操作が不明となったり、選択確認の画像を見落としたりすることを抑制することができるという効果が得られる。
【００５２】
ここで、Ａ／Ｂ／Ｃの選択画面の立体画像８を指で直接操作する場合、続いてＯＫ／キャンセルの選択確認の立体画像９を表示する際に、ユーザの視線が指で遮られると、立体画像９が立体的に見えない可能性がある。
【００５３】
そこで、制御部６は、表示デバイス１に対し、Ｚ’軸方向に垂直な座標平面上において、立体画像８とは異なる位置に立体画像９を立体表示させる。
【００５４】
なお、立体画像９の表示位置は、Ｚ’軸方向に垂直な座標平面上において、立体画像８とは異なる位置であれば、特に制限はない。ただし、ユーザの視線が指で遮られることをより確実に回避するため、立体画像８の奥側（Ｙ軸プラス方向側）に立体画像９を表示するのが好ましい。
【００５５】
以上、実施形態を参照して本発明を説明したが、本発明は上記実施形態に限定されるものではない。本発明の構成や詳細には、本発明の範囲内で当業者が理解し得る様々な変更をすることができる。
【符号の説明】
【００５６】
１    表示デバイス
２    タッチパネル
３    保護スクリーン
４，７，８，９    立体画像
５，５Ａ，５Ｂ，５Ｃ    検知位置
６    制御部
【図１】
2014044567.tif 000003
【図２】
2014044567.tif 000004
【図３】
2014044567.tif 000005
【図４】
2014044567.tif 000006
【図５】
2014044567.tif 000007
【図６】
2014044567.tif 000008
【図７】
2014044567.tif 000009
【図８】
2014044567.tif 000010
【図９】
2014044567.tif 000011